(57)【特許請求の範囲】
【請求項１】
車両前側に配され、その表裏が車両上下方向に向けられた板状をなす前方トレイと、車両後側に配され、その表裏が車両上下方向に向けられた板状をなす後方トレイと、を備え、前記前方トレイの後端と前記後方トレイの前端との少なくとも一方に切り欠きが設けられ、前記前方トレイの後端と前記後方トレイの前端とが組み付けられることで、前記切り欠きによって前記前方トレイと前記後方トレイとの境界部にサンシェード用の開口が形成され、１枚の板状をなすとともにリアシートの車両後方であってリアウインドウの車両下方に配されたパッケージトレイであって、
前記前方トレイの後端であって、その車幅方向における両端側を除いた部位に、前記後方トレイ側に向かって延出する第１延出部が設けられ、
前記後方トレイの前端であって、その車幅方向における両端部に、前記前方トレイ側に向かって延出する第２延出部が設けられ、
前記第２延出部に、車両上側に開口するとともに該開口内の少なくとも車両前後壁を構成する側壁を有する開口部が設けられ、
前記前方トレイの後端であって、前記第１延出部が設けられていない部位に、車両下側に向かって前記側壁と当接可能に突出する突出部が設けられ、
前記組み付けられた状態では、前記第１延出部の車幅方向における両端部が前記後方トレイの前端の裏面に宛がわれ、前記第２延出部が前記前方トレイの後端の裏面に宛がわれるとともに、前記開口部の前記側壁に前記突出部が当接することを特徴とするパッケージトレイ。
【請求項２】
前記切り欠きは、前記後方トレイの前端を後方側に切り欠いた形とされ、その切り欠きの車幅方向における両端に前記第２延出部が形成されており、
前記第１延出部の前記両端部は、前記後方トレイの前端であってその車幅方向における両端部かつ、前記切り欠きが設けられていない部位の裏面に宛がわれていることを特徴とする請求項１に記載のパッケージトレイ。
【発明の詳細な説明】
【技術分野】
【０００１】
本発明は、分割型のパッケージトレイに関する。
【背景技術】
【０００２】
車両の荷室に設けられるパッケージトレイとして、例えば特許文献１に記載のものが知られている。このパッケージトレイ（リヤパーセルシェルフ）では、板状をなす板面の中央部に開口が設けられており、この開口からリアウインドウを遮蔽するためのサンシェードを引き出して展開することが可能となっている。
【先行技術文献】
【特許文献】
【０００３】
【特許文献１】特開２０００−３５１３４９号公報
【発明の概要】
【発明が解決しようとする課題】
【０００４】
ところで、パッケージトレイにおける開口が設けられている箇所にサンシェードの巻取部等を備えた本体部を取り付ける関係上、トレイを車両の前方側と後方側とに二分割し、前方側トレイの後端、または後方側トレイの前端に切り欠きを設け、両トレイが組み付けられた状態で両トレイの境界部に形成された隙間をサンシェード用の開口とした分割型のパッケージトレイが知られている。このような分割型のパッケージトレイは、通常、前方側トレイの後端の一部が後方側トレイの前端の裏面に宛がわれ、後方側トレイの前端の一部が前方側トレイの後端の裏面に宛がわれることで、互いに組み付けられる構成とされている。
【０００５】
しかしながら、分割型のパッケージトレイにおいて上記のような組み付け態様とされていると、前方側トレイと後方側トレイとが相対移動して互いに車両上下方向に移動することを規制することはできるものの、互いに車両前後方向に移動することを規制することはできない。このため、車両の振動等によって、前方側トレイと後方側トレイとの意匠面上の境界部（接合部）で隙間が発生し、見栄えを損なったり、前方側トレイと後方側トレイとが車両前後方向において相対移動を起こし、各トレイが他部品と当たったり、前方側トレイの後端と後方側トレイの前端とが当たって異音が発生することがあった。
【０００６】
本発明は、上記の課題に鑑みて創作されたものである。本発明は、前後分割された各トレイの境界部にサンシェード用の開口が形成されるパッケージトレイにおいて、各トレイが振動等によって相対移動することを効果的に防止ないし抑制できる技術を提供することを目的とする。
【課題を解決するための手段】
【０００７】
本発明は、車両前側に配され、その表裏が車両上下方向に向けられた板状をなす前方トレイと、車両後側に配され、その表裏が車両上下方向に向けられた板状をなす後方トレイと、を備え、前記前方トレイの後端と前記後方トレイの前端との少なくとも一方に切り欠きが設けられ、前記前方トレイの後端と前記後方トレイの前端とが組み付けられることで、前記切り欠きによって前記前方トレイと前記後方トレイとの境界部にサンシェード用の開口が形成され、１枚の板状をなすとともにリアシートの車両後方であってリアウインドウの車両下方に配されたパッケージトレイであって、前記前方トレイの後端であって、その車幅方向における両端側を除いた部位に、前記後方トレイ側に向かって延出する第１延出部が設けられ、前記後方トレイの前端であって、その車幅方向における両端部に、前記前方トレイ側に向かって延出する第２延出部が設けられ、前記第２延出部に、車両上側に開口するとともに該開口内の少なくとも車両前後壁を構成する側壁を有する開口部が設けられ、前記前方トレイの後端であって、前記第１延出部が設けられていない部位に、車両下側に向かって前記側壁と当接可能に突出する突出部が設けられ、前記組み付けられた状態では、前記第１延出部の車幅方向における両端部が前記後方トレイの前端の裏面に宛がわれ、前記第２延出部が前記前方トレイの後端の裏面に宛がわれるとともに、前記開口部の前記側壁に前記突出部が当接することを特徴とするパッケージトレイに関する。
【０００８】
上記のようなパッケージトレイによれば、前方トレイと後方トレイとが組み付けられた状態において、切り欠きによってサンシェード用の開口とされる隙間が形成される。そして、この状態において、第１延出部が後方トレイの前端の裏面に宛がわれ、第２延出部が前方トレイの後端の裏面に宛がわれることで、前方トレイと後方トレイとが互いに車両上下方向への移動が規制されることとなる。さらに、前方トレイと後方トレイとが組み付けられた状態において、開口部の側壁に突出部が当接することで、前方トレイと後方トレイとが互いに車両前後方向への移動が規制されることとなる。このため、前方トレイと後方トレイとが組み付けられた状態のパッケージトレイに対して、車両上下方向や車両前後方向に振動が加わった場合でも、前方トレイと後方トレイとが車両上下方向や車両前後方向に相対移動することが防止ないし抑制される。このように、サンシェード用の開口が設けられた分割型のパッケージトレイにおいて、パッケージトレイを構成する各トレイが振動等によって相対移動することを効果的に防止ないし抑制することができる。この結果、振動等によって前方トレイと後方トレイとの境界部で隙間が発生することが防止ないし抑制されるので、見栄えを向上させることができる。さらに、各トレイが他部品と当たることや前方トレイの後端と後方トレイの前端とが当たることで異音が発生することを防止ないし抑制することができる。
【０００９】
前記切り欠きは、前記後方トレイの前端を後方側に切り欠いた形とされ、その切り欠きの車幅方向における両端に前記第２延出部が形成されており、前記第１延出部の前記両端部は、前記後方トレイの前端であってその車幅方向における両端部かつ、前記切り欠きが設けられていない部位の裏面に宛がわれていてもよい。
【００１０】
この構成によると、前方トレイの後端と後方トレイの前端において、その車幅方向両側が組み付けられることとなるので、前方トレイと後方トレイの境界部における車幅方向中央側にサンシェードを引き出すための隙間を設けることができる。さらに、突出部が爪状とされることで開口部の側壁に対して突出部を当接させ易いものとすることができ、前方トレイと後方トレイとを組み付け易いものとすることができる。
【発明の効果】
【００１１】
本発明によると、前後分割された各トレイの境界部にサンシェード用の開口が形成されるパッケージトレイにおいて、を構成する各トレイが振動等によって相対移動することを効果的に防止ないし抑制することができる。
【図面の簡単な説明】
【００１２】
【図１】パッケージトレイ２が取付られた車両後方の荷室１０を簡略化した斜視図
【図２】前方トレイ１２の斜視図
【図３】前方トレイ１２の平面図
【図４】図３におけるIV−IV断面の断面図
【図５】後方トレイ２２の斜視図
【図６】後方トレイ２２の平面図
【図７】後方トレイ２２において一方の第２延出部２６を拡大した平面図
【図８】パッケージトレイ２の平面図
【図９】図８におけるIX−IX断面の断面図
【図１０】図８におけるX−X断面の断面図
【発明を実施するための形態】
【００１３】
図面を参照して実施形態を説明する。図１は、実施形態に係るパッケージトレイ２が取り付けられた車両後方の荷室１０を簡略化した斜視図を示している。図１に示すように、パッケージトレイ２は、リアシート４の車両後方であってリアウインドウ（図示せず）の車両下方に配置されている。荷室１０の後方には、後部開口８が設けられており、車体側には、後部開口８を上下方向から開閉可能なバックドア（図示せず）が取り付けられている。パッケージトレイ２は、リアシート４のシートバックとバックドアとの隙間を塞ぐことにより、荷室１０内の荷物を外部から遮蔽する目的で使用される。なお、以下の説明において、前方（前側）とは車両前後方向を基準として車両前方をいい、後方（後側）とは車両前後方向を基準として車両後方のことをいい、上方（上側）とは車両上下方向を基準として車両上方をいい、下方（下側）とは車両上下方向を基準として車両下方をいい、幅方向とは車幅方向のことをいうものとする。
【００１４】
パッケージトレイ２は、荷室１０側に開口する浅い略箱型の１枚の板状をなしており、水平姿勢で配されている。また、パッケージトレイ２は分割型とされており、前方側に配される前方トレイ１２と、後方側に配される後方トレイ２２と、に分割可能となっている。前方トレイ１２と後方トレイ２２との境界部には、幅方向に細長く開口する隙間６が設けられており、この隙間６からサンシェード（図示せず）を引き出すことが可能となっている。また、各トレイ１２、２２には、それぞれ所定の位置にスピーカー１４、２４が設けられている。なお、荷室１０の幅方向両側を構成する両側壁には荷室１０内側に突出する複数のヒンジ（図示せず）が設けられており、パッケージトレイ２はその幅方向両端がこれらのヒンジによって支持されており、水平姿勢に保持されている。
【００１５】
まず、前方トレイ１２の構成について説明する。前方トレイ１２は、図２及び図３に示すように、車幅方向を長辺方向とする平面視において長方形の板状をなしている。前方トレイ１２の後端１２ｂには、その両端側を除いた部位に、後方トレイ２２側（後方側）に向かって板状をなしてわずかに延出する第１延出部１６が設けられている。この第１延出部１６の両端部１６ａは、後方トレイ２２と組み付けられる際に、後方トレイ２２の前端２２ａの裏面に宛がわれる部位とされる。また、前方トレイ１２の後端１２ｂの両端部（第１延出部１６が設けられていない部位）は、後方トレイ２２と組み付けられる際に、その裏面に後方トレイ２２の前端２２ａが宛がわれる部位とされる。なお、以下の説明において、裏面とは下方側の面をいうものとする。
【００１６】
前方トレイ１２の幅方向における一方の端部側は、図４に示すような断面構成とされている。図４に示すように、前方トレイ１２の後端１２ｂの両端部（第１延出部１６が設けられていない部位）は、その先端が下方に向かって後述する第１溝部２６ａの両側壁２６ａ１、２６ａ２（図７参照）と当接可能に爪状に突出する爪部１２ｂ１（突出部の一例）とされている。なお、前端トレイ１２の板面は、図４に示すように滑らかな平面状とされている。また、前方トレイ１２の前端１２ａは下方に突き出した側壁状をなしており、浅い箱型状とされたパッケージトレイ２の開口縁を構成する部位となっている。
【００１７】
続いて後方トレイ２２の構成について説明する。後方トレイ２２は、図５及び図６に示すように、その前端２２ａが直線状の輪郭をなし、その後端２２ｂが円弧状の輪郭をなしており、全体として平面視において三日月状をなしている。後方トレイ２２の前端２２ａには、その両端側を除いた部位に、後方側に向かってわずかに切り欠かれた切り欠き２２ｓが設けられている。この切り欠き２２ｓは、前方トレイ１２と組み付けられてパッケージトレイ２とされた際に開口を形成し、サンシェードを引き出すための隙間６とされる。また、後方トレイ２２の前端２２ａの両端部（切り欠き２２ｓが設けられていない部位）には、前方トレイ１２側（前方側）に向かって板状をなしてわずかに延出する第２延出部２６が設けられている。この第２延出部２６は、前方トレイ１２と組み付けられる際に、前方トレイ１２の後端１２ｂの裏面に宛がわれる部位とされる。また、後方トレイ２２の前端２２ａの両端部（切り欠き２２ｓが設けられていない部位）のうち、幅方向内側に位置する部位２２ａ１は、前方トレイ１２と組み付けられる際に、その裏面に前方トレイ１２の後端１２ｂが宛がわれる部位とされる。なお、後端トレイ２２の板面は、滑らかな平面状とされている。
【００１８】
後方トレイ２２の第２延出部２６の近傍を拡大した平面図を図７に示す。図７に示すように、第２延出部２６には、上方に開口し、幅方向に沿った溝状をなす第１溝部２６ａ（開口部の一例）と、上方に開口し、前後方向に沿った溝状をなす第２溝部２６ｂとが設けられている。後方トレイ２２の前端２２ａは、第１溝部２６ａの片側の側壁２６ａ１をなしている。なお、第１溝部２６の幅は、上述した前方トレイ１２の爪部１２ｂ１の幅とほぼ同等とされている。このため、爪部１２ｂ１を第１溝部２６内に嵌合させることが可能となっており、爪部１２ｂ１を第１溝部２６内に嵌合させた状態では、爪部１２ｂ１が第１溝部２６ａの両側壁２６ａ１、２６ａ２と当接するものとなっている。また、第２溝部２６ｂは、第１溝部２６ａの幅方向中央から前方側に向かって延びるように設けられている。第２延出部２６に第１溝部２６ａが設けられているのみでは、第２延出部２６を第１溝部２６ａの溝に沿って折り曲げ易くなるため、第２延出部２６の強度が低下する。しかしながら、上記のように第１溝部２６ａと直交する方向（前後方向）に第２溝部２６ｂが設けられていることで、第２溝部２６ｂが補強リブの機能を果たし、第２延出部２６が折れ曲がり難くなっており、第２延出部２６の強度が高められている。なお、図示はしないが、後方トレイ２２の後端２２ｂは下方に突き出した側壁状をなしており、浅い箱型状とされたパッケージトレイ２の開口縁を構成する部位となっている。
【００１９】
以上がパッケージトレイ２を構成する各トレイ１２、２２の構成であり、続いてパッケージトレイ２における前方トレイ１２と後方トレイ２２との組み付け態様を説明する。前方トレイ１２と後方トレイ２２とが組み付けられた状態では、図８に示すように、前方トレイ１２の第１延出部１６によって後方トレイ２２の切り欠き２２ｓの前方側が塞がれるものの、両者の間にはなお隙間６が生じており、この隙間６からサンシェードを引き出すことが可能となっている。
【００２０】
図８に示すように、後方トレイ２２の第２延出部２６は、前方トレイ１２の後端の裏面に宛がわれた状態となっている。この状態において、第２延出部２６が宛がわれた部位の断面構成は図９に示すものとされている。図９に示すように、前方トレイ１２の爪部１２ｂ１は、その後方が第１溝部２６ａの一方の側壁２６ａ１（後方トレイ２２の前端２２ａ）に当接し、その前方が第１溝部２６ａの他方の側壁２６ａ２に当接した状態で、第２延出部２６の第１溝部２６ａ内に嵌合されている。爪部１２ｂ１と第１溝部２６ａとがこのように嵌合されることで、第２延出部２６は、前方トレイ１２の後端１２ｂに設けられた爪部１２ｂ１の先端の裏面に宛がわれたものとなっている。これにより、後方トレイ２２が上方に移動することが規制されている。また、爪部１２ｂ１が第１溝部２６の前後に設けられた両側壁２６ａ１、２６ａ２と当接していることで、前方トレイ１２及び後方トレイ２２が互いに前後方向に移動することが規制されている。
【００２１】
一方、図８に示すように、前方トレイ１２の第１延出部１６は、後方トレイ２２の前端２２ａの裏面に宛がわれた状態となっている。この状態において、第１延出部１６が宛がわれた部位の断面構成は図１０に示すものとされている。図１０に示すように、後方トレイ２２の前端２２ａの一部２２ａ１は、その先端が前方トレイ１２の第１延出部１６の両端部１６ａと当接している。そして、前方トレイ１２の第１延出部１６の両端部１６ａは、後方トレイ２２の前端２２ａと当接する部位からさらに前方へ延出しており、後方トレイ２２の前端２２ａの裏側へ入り込んだ状態となっている。後方トレイ２２の前端２２ａが第１延出部１６の両端部１６ａとこのように当接することで、第１延出部１６は、後方トレイ２２の前端２２ａの裏面に宛がわれたものとなっている。これにより、前方トレイ１２が下方に移動することが規制されている。
【００２２】
さて、パッケージトレイ２では、前方トレイ１２と後方トレイ２２とが上記のような態様で組み付けられることにより、後方トレイ２２が上方に移動することが規制されるとともに、前方トレイ１２が下方に移動することが規制されるので、結果として、両トレイ１２、２２が互いに上下方向に相対移動することが規制される。さらに、両トレイ１２、２２が組み付けられることで、爪部１２ｂ１が第１溝部２６ａ内に嵌合して、爪部１２ｂ１が第１溝部２６の両側壁２６ａ１、２６ａ２と当接し、両トレイ１２、２２が互いに前後方向に相対移動することが規制される。なお、荷室１０に配された状態のパッケージトレイ２の幅方向両側にはピラー（図示せず）が位置しており、このピラーによってパッケージトレイ２が幅方向に移動することが規制されている。このため、前方トレイ１２と後方トレイ２２とが互いに幅方向にずれることが規制されている。このように前方トレイ１２と後方トレイ２２とは、上下方向、前後方向、幅方向のいずれにおいても相対移動することが規制されているから、振動等によって前方トレイ１２と後方トレイ２２とが離間することがなく、隙間が発生することが防止ないし抑制され、見栄えが向上されている。また、各トレイ１２、２２が他部品と当たることや前方トレイ１２と後方トレイ２２とが当たることによる異音の発生が防止ないし抑制されている。
【００２３】
以上のように本実施形態に係るパッケージトレイ２では、前方トレイ１２と後方トレイ２２とが組み付けられた状態において、切り欠き２２ｓによってサンシェード用の開口とされる隙間６が形成される。そして、この状態において、第１延出部１６が後方トレイ２２の前端２２ａの裏面に宛がわれ、第２延出部２６が前方トレイ１２の後端１２ｂの裏面に宛がわれることで、前方トレイ１２と後方トレイ２２とが互いに上下方向への移動が規制されることとなる。さらに、前方トレイ１２と後方トレイ２２とが組み付けられた状態において、第１溝部２６ａの側壁２６ａ１に爪部１２ｂ１が当接することで、前方トレイ１２と後方トレイ２２とが互いに前後方向への移動が規制されることとなる。このため、前方トレイ１２と後方トレイ２２とが組み付けられた状態のパッケージトレイ２に対して、上下方向や前後方向に振動が加わった場合でも、前方トレイ１２と後方トレイ２２とが上下方向や前後方向に相対移動することが防止ないし抑制される。このように、本実施形態に係るサンシェード用の隙間６が設けられた分割型のパッケージトレイ２では、パッケージトレイ２を構成する各トレイ１２、２２が振動等によって相対移動することを効果的に防止ないし抑制することができる。この結果、前方トレイ１２と後方トレイ２２との境界部で隙間が発生することが防止ないし抑制されるので、見栄えを向上させることができる。さらに、各トレイ１２、２２が他部品と当たることや前方トレイ１２の後端１２ｂと後方トレイ２２の前端２２ａとが当たることで異音が発生することを防止ないし抑制することができる。
【００２４】
また、本実施形態に係るパッケージトレイ２では、第２延出部２６が、第１延出部１６よりも車幅方向外側において後方トレイ２２の車幅方向両側に一対設けられている。そして、第１溝部２６ａが、車幅方向に沿って延びる溝状とされ、爪部１２ｂ１が第１溝部２６ａの側壁２６ａ１に引っ掛かることで第１溝部２６ａと係合可能な爪状とされている。これにより、前方トレイ１２の後端１２ｂと後方トレイ２２の前端２２ａにおいて、その幅方向両側が組み付けられることとなるので、前方トレイ１２と後方トレイ２２の境界部における幅方向中央側にサンシェードを引き出すための隙間６を設けることができる。さらに、爪部１２ｂ１が爪状とされることで第１溝部２６ａの側壁２６ａ１に対して爪部１２ｂ１を当接させ易いものとすることができ、前方トレイ１２と後方トレイ２２とを組み付け易いものとすることができる。
【００２５】
上記の実施形態の変形例を以下に列挙する。
（１）上記の実施形態では、第２延出部に第１溝部が設けられるとともに、前方トレイの後端に突出部が設けられた構成を例示したが、第１延出部に第１溝部が設けられるとともに、後方トレイの前端に突出部が設けられた構成であってもよい。
【００２６】
（２）上記の実施形態では、開口部（第１溝部）が車幅方向に延びる溝状とされた構成を例示したが、開口部の形状は限定されない。例えば、開口部が貫通孔とされた構成であってもよい。この場合であっても、突出部が貫通孔に嵌合することで前方トレイと後方トレイとが互いに前後に移動することを規制することができる。この場合、貫通孔が設けられた第２延出部の他の一部が前方トレイの後端の裏面に宛がわれる構成とされていればよい。これにより、後方トレイが上方に移動することが規制される。
【００２７】
（３）後方トレイ側にサンシェード用の隙間を構成する切り欠きが設けられた構成を例示したが、前方トレイ側にサンシェード用の隙間を構成する切り欠きが設けられた構成であってもよい。または、前方トレイと後方トレイの両者にサンシェード用の隙間を構成する切り欠きが設けられた構成であってもよい。
【００２８】
（４）上記の実施形態以外にも、第１延出部、第２延出部の形状、配置等については、適宜に変更可能である。
【００２９】
（５）上記の実施形態以外にも、開口部の形状、配置等については、適宜に変更可能である。
【００３０】
（６）上記の実施形態以外にも、突出部の形状、配置等については、適宜に変更可能である
【００３１】
（７）上記の実施形態以外にも、パッケージトレイにおけるスピーカーの配置については適宜に変更可能である。または、パッケージトレイ上にスピーカーが設けられていない構成とすることもできる。
【００３２】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００３３】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３４】
２…パッケージトレイ、４…リアシート、６…隙間、８…後部開口、１０…荷室、１２…前方トレイ、１２ａ…（前方トレイの）前端、１２ｂ…（前方トレイの）後端、１２ｂ１…爪部、１４、２４…スピーカー、１６…第１延出部、１６ａ…（第１延出部の）両端部、２２…後方トレイ、２２ａ…（後方トレイの）前端、２２ｂ…（後方トレイの）後端、２２ｓ…切り欠き、２６…第２延出部、２６ａ…第１溝部、２６ｂ…第２溝部
【図１】
0005846439.tif 000002
【図２】
0005846439.tif 000003
【図３】
0005846439.tif 000004
【図４】
0005846439.tif 000005
【図５】
0005846439.tif 000006
【図６】
0005846439.tif 000007
【図７】
0005846439.tif 000008
【図８】
0005846439.tif 000009
【図９】
0005846439.tif 000010
【図１０】
0005846439.tif 000011